(57)【特許請求の範囲】
【請求項１】
水底基礎上に据え付けられるコンクリート製の底版上にこれと一体に複数の支柱を立設した下部工と、前記支柱の上端部に支持させた上部工とからなる桟橋構造体を構築する方法であって、
ドライな製作ヤードに前記底版を形成するための底版成形用型枠を設置するとともに、該底版成形用型枠の周囲に支持脚を立設し、該支持脚の上端部に離脱可能に支持治具を固定し、前記底版成形用型枠より上方の所定高さ位置に前記支持治具を設置し、該支持治具に支持させて前記支柱を前記底版成形用型枠上に立て込み、前記底版成形用型枠内にコンクリートを打設して前記支柱と底版とを一体化させて前記下部工を形成した後、前記支持脚より前記支持治具を離脱させ、前記支持治具に備えた浮力体の浮力により前記支持治具に支持させた前記下部工を水上に浮かべ、該下部工を所望の設置現場まで移動させ、該設置現場にて前記支持治具に対して前記下部工を相対的に降下させて水底基礎上に据え付けることを特徴としてなる桟橋構造体の構築方法。
【請求項２】
前記各支柱の上端部に前記支持治具の上面が当て止めされるストッパー部材を備え、前記下部工を前記支持治具に対して相対的に降下させて前記水底基礎上に据え付けるとともに、前記支持治具を水面に反力を取って前記ストッパー部材に向けて付勢させて、作業用足場として使用する請求項１に記載の桟橋構造体の構築方法。
【請求項３】
前記浮力体を支持治具本体に着脱可能に固定しておく請求項１又は２に記載の桟橋構造体の構築方法。
【請求項４】
前記下部工を水底基礎上に据え付けた後、前記支持治具を所望の高さ位置まで降下せしめ、その位置において前記支持治具を前記支柱に固定し支柱同士を水平方向で相対移動不能に連結させる請求項１、２又は３に記載の桟橋構造体の構築方法。
【請求項５】
前記下部工を水底基礎上に据え付けた後、前記浮力体内にコンクリート等の充填材を充填して前記支持治具を降下せしめ、該支持治具を前記底版上に重ねて設置する請求項１、２又は３に記載の桟橋構造体の構築方法。
【請求項６】
前記支持治具に上下に開口した作業用開口部を形成しておき、該作業用開口部より捨石を投下して前記底版上に捨石マウンドを形成する請求項１〜３又は４に記載の桟橋構造体の構築方法。
【請求項７】
前記製作ヤードにて前記上部工を前記支柱の上端部に支持させて桟橋構造体を形成した後、該桟橋構造体を前記支持治具に備えた浮力体の浮力により水上に浮かべて設置現場まで移動させる請求項１〜４又は５に記載の桟橋構造体の構築方法。
【請求項８】
前記製作ヤードとしてドックを使用する請求項１〜６又は７に記載の桟橋構造体の構築方法。
【請求項９】
陸上の製作ヤードを使用して前記下部工を形成した後、前記支持治具を介して前記下部工をクレーンにて吊り上げて水上に移動させる請求項１〜６又は７に記載の桟橋構造体の構築方法。
【発明の詳細な説明】
【技術分野】
【０００１】
本発明は、桟橋式岸壁構造を構成する桟橋構造体の施工に際し、桟橋構造体を効率よく且つ安価に製作・設置するための桟橋構造体の構築方法に関する。
【背景技術】
【０００２】
従来の桟橋式岸壁構造には、例えば、水深の浅い位置に重力式の護岸構造体を造成し、その前面側に所望の水深位置に至るまで多数の基礎杭を水底に打設し、この基礎杭の上端部に上部工を支持させて桟橋構造体を構築するものが知られ、このような桟橋式岸壁構造では、背後土圧を浅水深位置の護岸によって受け持たせ、船舶接岸時の応力を桟橋構造体に受け持たせている（例えば、特許文献１を参照）。
【０００３】
一方、このような桟橋式岸壁構造を水深が２０ｍを超える大水深域において施工するような場合には、背後土圧を重力式護岸構造体に受け持たせるため、桟橋を背後土圧に対抗させる構造とする必要はないが、水深の増大により基礎杭の水底からの突出長が長くなり、且つ基礎杭の経時的変位を防止するために大口径の杭を打設する必要が生じ、施工が容易ではなくなるという問題がある。
【０００４】
そこで、上述の如き問題を鑑み、重力式護岸構造体の前側部に埋設されるコンクリート製の底版上にこれと一体に複数の支柱を立設させた下部工と、下部工の各支柱上端部に支持させた上部工とからなる桟橋構造体を使用し、従来の杭式桟橋構造体に比して施工を容易とした護岸構造が提案されている（例えば、特許文献２を参照）。
【０００５】
この桟橋構造体は、陸上の製作ヤードにて下部工を予め製作しておき、それを起重機船のクレーンで吊り上げて所望の設置場所まで移動させ、この設置場所にて水底基礎上に下部工を据え置き、然る後、下部工の各支柱上端部に上部工を形成するようになっている。
【０００６】
製作ヤードにおける下部工の製作は、製作ヤードの床部に底版を形成するための底版成形用型枠を設置するとともに、底版成形用型枠の周囲に立設された支持脚に支持させて底版成形用型枠より上方に支持治具を設置し、この支持治具に支持させて鋼管材やプレキャストコンクリート柱等のように予め製作されていた複数の支柱を底版成形用型枠上に立て込み、その状態で底版成形用型枠内にコンクリートを打設することにより底版と各支柱とを一体化させるようになっている。
【０００７】
このように下部工が形成されたら、底版成形用型枠、支持治具及び支持脚は撤去され、これに代えて、クレーンで吊り上げる際に使用する吊り枠を下部工に設置し、この吊り枠を介して下部工をクレーンで吊り持つようになっている。
【０００８】
そして、下部工を所望の設置場所に設置した後、吊り枠が撤去されて下部工上端部に足場が設けられ、この足場を用いて上部工を設置するようになっている。
【先行技術文献】
【特許文献】
【０００９】
【特許文献１】特開２００８−２２３３８４号公報
【特許文献２】特開２０１１−１７９２４７号公報
【発明の開示】
【発明が解決しようとする課題】
【００１０】
しかしながら、上述の如き従来の技術では、下部工の製作から移動を経て、上部工の設置に至るまでの各工程において作業を補助するために多くの治具、吊り枠又は足場等の作業補助部材を必要とし、各作業補助部材は、作業工程に応じてそれぞれ別個に製作され、且つ作業工程毎にその都度下部工に対して設置及び撤去を行うため、設備費が嵩むとともに作業に時間がかかり効率が悪いという問題があった。
【００１１】
また、上部工設置作業に用いられる足場は、水上に設置されるものであるので、波浪等の影響を受け易く作業性が悪いという問題があった。
【００１２】
更には、下部工を移動させる際に大型の起重機船を使用すると施工費用が嵩み、効率が悪いという問題があった。
【００１３】
そこで、本発明は、上述の如き従来の問題を鑑み、効率よく且つ安価に桟橋構造体を製作・設置することができる桟橋構造体の構築方法の提供を目的としてなされたものである。
【課題を解決するための手段】
【００１４】
上述の如き従来の問題を解決し、所期の目的を達成するための請求項１に記載の発明の特徴は、水底基礎上に据え付けられるコンクリート製の底版上にこれと一体に複数の支柱を立設した下部工と、前記支柱の上端部に支持させた上部工とからなる桟橋構造体を構築する方法であって、ドライな製作ヤードに前記底版を形成するための底版成形用型枠を設置するとともに、該底版成形用型枠の周囲に支持脚を立設し、該支持脚の上端部に離脱可能に支持治具を固定し、前記底版成形用型枠より上方の所定高さ位置に前記支持治具を設置し、該支持治具に支持させて前記支柱を前記底版成形用型枠上に立て込み、前記底版成形用型枠内にコンクリートを打設して前記支柱と底版とを一体化させて前記下部工を形成した後、前記支持脚より前記支持治具を離脱させ、前記支持治具に備えた浮力体の浮力により前記支持治具に支持させた前記下部工を水上に浮かべ、該下部工を所望の設置現場まで移動させ、該設置現場にて前記支持治具に対して前記下部工を相対的に降下させて水底基礎上に据え付けることにある。
【００１５】
請求項２に記載の発明の特徴は、請求項１の構成に加え、前記各支柱の上端部に前記支持治具の上面が当て止めされるストッパー部材を備え、前記下部工を前記支持治具に対して相対的に降下させて前記水底基礎上に据え付けるとともに、前記支持治具を水面に反力を取って前記ストッパー部材に向けて付勢させて、作業用足場として使用することにある。
【００１６】
請求項３に記載の発明の特徴は、請求項１又は２の構成に加え、前記浮力体を支持治具本体に着脱可能に固定しておくことにある。
【００１７】
請求項４に記載の発明の特徴は、請求項１、２又は３の構成に加え、前記下部工を水底基礎上に据え付けた後、前記支持治具を所望の高さ位置まで降下せしめ、その位置において前記支持治具を前記支柱に固定し前記支柱同士を水平方向で相対移動不能に連結させることにある。
【００１８】
請求項５に記載の発明の特徴は、請求項１、２又は３の構成に加え、前記下部工を水底基礎上に据え付けた後、前記浮力体内にコンクリート等の充填材を充填して前記支持治具を降下せしめ、該支持治具を前記底版上に重ねて設置することにある。
【００１９】
請求項６に記載の発明の特徴は、請求項１〜３又は４の構成に加え、前記支持治具に上下に開口した作業用開口部を形成しておき、該作業用開口部より捨石を投下して前記底版上に捨石マウンドを形成することにある。
【００２０】
請求項７に記載の発明の特徴は、請求項１〜４又は５の構成に加え、前記製作ヤードにて前記上部工を前記支柱の上端部に支持させて桟橋構造体を形成した後、該桟橋構造体を前記支持治具に備えた浮力体の浮力により水上に浮かべて設置現場まで移動させることにある。
【００２１】
請求項８に記載の発明の特徴は、請求項１〜６又は７の構成に加え、前記製作ヤードとしてドックを使用することにある。
【００２２】
請求項９に記載の発明の特徴は、請求項１〜６又は７の構成に加え、陸上の製作ヤードを使用して前記下部工を形成した後、前記支持治具を介して前記下部工をクレーンにて吊り上げて水上に移動させることにある。
【発明の効果】
【００２３】
本発明に係る桟橋構造体の構築方法は、上述したように、水底基礎上に据え付けられるコンクリート製の底版上にこれと一体に複数の支柱を立設した下部工と、前記支柱の上端部に支持させた上部工とからなる桟橋構造体を構築する方法であって、ドライな製作ヤードに前記底版を形成するための底版成形用型枠を設置するとともに、該底版成形用型枠の周囲に支持脚を立設し、該支持脚の上端部に離脱可能に支持治具を固定し、前記底版成形用型枠より上方の所定高さ位置に前記支持治具を設置し、該支持治具に支持させて前記支柱を前記底版成形用型枠上に立て込み、前記底版成形用型枠内にコンクリートを打設して前記支柱と底版とを一体化させて前記下部工を形成した後、前記支持脚より前記支持治具を離脱させ、前記支持治具に備えた浮力体の浮力により前記支持治具に支持させた前記下部工を水上に浮かべ、該下部工を所望の設置現場まで移動させ、該設置現場にて前記支持治具に対して前記下部工を相対的に降下させて水底基礎上に据え付けることにより、安価且つ効率よく桟橋構造体の製作及び設置を行うことができる。
【００２４】
また、本発明において、前記各支柱の上端部に前記支持治具の上面が当て止めされるストッパー部材を備え、前記下部工を前記支持治具に対して相対的に降下させて前記水底基礎上に据え付けるとともに、前記支持治具を水面に反力を取って前記ストッパー部材に向けて付勢させて、作業用足場として使用することにより、波浪等の影響による足場の動揺を抑制でき、効率よく上部工の設置作業を行うことができる。
【００２５】
更に本発明において、前記浮力体を支持治具本体に着脱可能に固定しておくことにより、浮力体を再利用することができる。
【００２６】
更に本発明において、前記下部工を水底基礎上に据え付けた後、前記支持治具を所望の高さ位置まで降下せしめ、その位置において前記支持治具を前記支柱に固定し前記支柱同士を水平方向で相対移動不能に連結させることにより、支柱を補強することができる。
【００２７】
更に本発明において、前記下部工を水底基礎上に据え付けた後、前記浮力体内にコンクリート等の充填材を充填して前記支持治具を降下せしめ、該支持治具を前記底版上に重ねて設置することにより、波浪等の外力に対抗するために必要な桟橋構造体重量の確保に支持治具を寄与させることができる。
【００２８】
更にまた、本発明において、前記支持治具に上下に開口した作業用開口部を形成しておき、該作業用開口部より捨石を投下して前記底版上に捨石マウンドを形成することにより、支持治具下に好適に捨石マウンドを形成することができる。
【００２９】
また、本発明において、前記製作ヤードにて前記上部工を前記支柱の上端部に支持させて桟橋構造体を形成した後、該桟橋構造体を前記支持治具に備えた浮力体の浮力により水上に浮かべて設置現場まで移動させることにより、水上での作業を軽減し、工期の短縮を図ることができる。
【００３０】
また、本発明において、前記製作ヤードとしてドックを使用することにより、大型起重機船を使用せずに下部工を水上に浮かべることができ、施工費用の低減を図ることができる。
【００３１】
更にまた、本発明において、陸上の製作ヤードを使用して前記下部工を形成した後、前記支持治具を介して前記下部工をクレーンにて吊り上げて水上に移動させることにより、支持治具に吊り枠を兼用させることにより設備費の低減及び作業の効率化を図ることができる。
【図面の簡単な説明】
【００３２】
【図１】（ａ）〜（ｃ）は本発明に係る桟橋構造体の構築方法における下部工製作工程の概略を示す縦断面図である。
【図２】（ｄ）は同上の下部工移動工程、（ｅ）は同下部工降下行程の概略をそれぞれ示す側面図である。
【図３】（ｆ）は本発明に係る桟橋構造体の構築方法における足場設置行程、（ｇ）は同上部工設置行程、（ｈ）は同支持治具降下工程の概略をそれぞれ示す側面図である。
【図４】図２（ｅ）中の下部工吊り下ろし装置の一例を示す側面図である。
【図５】本発明に係る桟橋構造体の構築方法の他の実施例を示す側面図であって、支持治具を支柱用の補強部材として使用した例を示す図である。
【図６】本発明に係る桟橋構造体の構築方法における他の実施例を示す縦断面図であって、（ｉ）は上部工設置工程、（ｊ）は桟橋構造体移動工程、（ｋ）は桟橋構造体降下工程の概略をそれぞれ示す図である。
【図７】同上の（ｌ）〜（ｍ）は支持治具降下工程を示す側面図である。
【図８】本発明に係る桟橋構造体の構築方法における更に他の実施例を示す側面図であって、（ｎ）は石材投下工程、（ｏ）は上部工設置行程、（ｐ）は桟橋構造体構築の概略をそれぞれ示す図である。
【図９】（ｑ）〜（ｓ）本発明に係る桟橋構造体の構築方法における他の実施例の各工程の概略をそれぞれ示す縦断面図である。
【図１０】（ｔ）〜（ｖ）は同上の橋構造体の構築方法における他の実施例の各工程の概略をそれぞれ示す側面図である。
【発明を実施するための最良の形態】
【００３３】
次に本発明に係る桟橋構造体の構築方法の実施の形態を図１〜図４に示した実施例に基づいて説明する。尚、図中符号１は桟橋構造体、符号２は水底基礎である。
【００３４】
この桟橋構造体１は、水底に造成された水底基礎２上に据え付けられる底版３の上に複数の支柱４，４...を立設させた下部工５と、下部工５の各支柱４，４...の上端部に支持された平板状のコンクリート床版等からなる上部工６とをもって構成され、所望の位置に設置されることにより岸壁構造の一部を構成するようになっている。
【００３５】
底版３は、鉄筋コンクリート等をもって平板状に形成され、各支柱４，４...の下端部がこの鉄筋コンクリート内に埋め込まれることにより底版３上に立設されるようになっている。
【００３６】
各支柱４，４...は、鋼管柱、プレキャスト製の鉄筋コンクリート柱、外殻鋼管付コンクリート柱等のように円柱状や角柱状等の柱状に予め製作されていたものであって、柱頭部及び所定の高さ位置に上部ストッパー部材７及び下部ストッパー部材８がそれぞれ着脱可能に固定されている。
【００３７】
ストッパー部材７，８は、同様の形状に形成され、例えば、図４に示すように、支柱４，４...直径方向外向きに張り出したフランジ状の当て止め部９と、当て止め部９と支柱４，４...外周とを連結する補強部１０，１０...とを備え、当て止め部９の下面側が後述する支持治具１１上面に当接し、ストッパー部材７，８を介して各支柱４，４が支持治具１１に支持されるようになっている。
【００３８】
この桟橋構造体１は、下部工５を設置水域の水辺に配置されたドライな製作ヤードにて製作し、それを所望の設置場所まで移動させて設置することにより構築するようになっている。
【００３９】
製作ヤードには、設置水域の水辺に配置されたドック１２を使用し、このドック１２は、設置水域側に出入口が開口した凹溝状に形成され、出入口を隔壁にて閉鎖してドック１２内部の水を排出することにより内部をドライな空間とすることができ、一方、ドック１２内部に注水することにより外部の水域と水面レベルを同じくすることができるようになっている。
【００４０】
このドック１２を使用して下部工５を製作するには、まず、図１（ａ）に示すように、ドック１２内部の水を排出してドック１２内部をドライな空間にしておき、ドック１２内部の内底部に型枠材を組み立てて底版成形用型枠１３を設置する。
【００４１】
また、この底版成形用型枠１３の設置に合わせて、この底版成形用型枠１３の周囲に複数の支持脚１４，１４...を立設して、各支持脚１４，１４...の上端部に支持治具１１の四隅部を離脱可能に固定し、この支持脚１４，１４...に支持させて支持治具１１を底版成形用型枠１３より上方の所望の高さ位置に設置する。
【００４２】
この支持治具１１は、上面に鋼材からなる平面視矩形状の支持治具本体１５を有し、支持治具本体１５下に鋼材やコンクリート材等をもって内部が密閉可能な中空箱状に形成された浮力体１６を一体的に備えている。尚、浮力体１６は、浮力調整手段を備え、中空部に注排水すること等により浮力を調整することができるようになっている。
【００４３】
支持治具１１には、各支柱４，４...の底版３に対する立て込み位置に合わせて挿通孔１１ａ，１１ａ...が形成され、この挿通孔１１ａ，１１ａ...に予め製作されていた支柱４，４...を上下に向けて貫通させ、下部ストッパー部材８を支持治具１１上面部に当接させる。これにより各支柱４，４...は、下部ストッパー部材８を介して支持治具１１に支持され、各支柱４，４...を底版成形用型枠１３上に立て込む。
【００４４】
次に、図１（ｂ）に示すように、底版成形用型枠１３上に各支柱４，４...を立て込んだ状態で底版成形用型枠１３内にコンクリートを打設・養生し、各支柱４，４...の下端部を底版３内に埋め込み、各支柱４，４...と底版３とが一体化された下部工５を形成する。
【００４５】
そして、図１（ｃ）に示すように、各支持脚１４，１４...と支持治具１１との固定状態を解除するとともに、ドック１２内部に水を注入し、ドック１２内部の水位を外部水域の水位レベルに合わせることにより、支持治具１１に備えた浮力体１６の浮力により支持治具１１に支持された下部工５が水上に浮かび、支持脚１４，１４...より離脱する。
【００４６】
この状態でドック１２の出入口を解放し、曳航により下部工５をドック１２内より引き出し、図２（ｄ）に示すように、曳航により所望の設置場所まで移動させる。
【００４７】
所望の設置場所まで移動したら、支持治具１１上に設置されたウインチ１７より吊り下ろし用ワイヤー１８を繰り出し、その下端を底版３に連結し、その状態で下部ストッパー部材８を取り外す。
【００４８】
そして、図２（ｅ）及び図４に示すように、ウインチ１７より吊り下ろし用ワイヤー１８を繰り出し、ワイヤー１８を介して支持治具１１に支持させつつ下部工５を支持治具１１に対して相対的に降下させ、底版３が水底基礎２上に着底し据え付けられる位置まで降下させる。
【００４９】
底版３が着底した後、更に吊り下ろし用ワイヤー１８を繰り出すと、支持治具１１に作用する下部工５による荷重が除去され、図３（ｆ）に示すように、浮力体１６の浮力により支柱４，４...に対して支持治具１１が相対的に上向きに移動して上部ストッパー部材７に当て止めされるとともに水面に反力をとって上向きに付勢された状態となる。このとき浮力調整手段により浮力体１６の浮力を以後の施工に適した浮力、即ち、下部工５の安定した据え付け状態が維持できるとともに、支持治具１１に適正な上向きの付勢力が付与されるのに適した浮力に調整する。
【００５０】
これにより支持治具１１が下部工５上端部に水上で安定した状態に保持され、上部工設置作業用の足場又は足場用支保工として使用することができ、また、一般の海上に足場を構築する場合に比べて短時間で設置できるようになっている。
【００５１】
そして、図３（ｇ）に示すように、この支持治具１１を足場として使用してプレキャスト床版からなる上部工６を下部工５の各支柱４，４...上端部に載置させて各支柱４，４...に支持させた状態に上部工６を設置する。
【００５２】
最後に、図３（ｈ）に示すように、浮力体１６内にコンクリート等の充填材を注入して内部に充填して支持治具１１を降下せしめ、支持治具１１を底版３上に重ねた配置に設置して底版３と一体化させる。これにより波浪等による外力に対抗するための桟橋構造体１の重量が増し、桟橋構造体１が安定する。これにより桟橋構造体１の構築が完了する。
【００５３】
尚、上述の実施例においては、支持治具１１を降下せしめ、支持治具１１を底版３上に重ねた配置に設置して底版３と一体化させた例について説明したが、図１〜図３（ｇ）に示す工程と同様に、下部工５を水底基礎２上に据え付け、且つ上部工６を施工した後、図５に示すように、支持治具１１を支柱４，４...の任意の高さ位置まで降下せしめ、その位置において支柱４，４...に固定し、支持治具１１を介して支柱４，４同士を水平方向で相対移動不能に連結させて支柱４，４...を補強するようにしてもよい。
【００５４】
尚、本発明においては、水底基礎２が高精度で造成でき、上部工施工時に天端高さの調整が不要な場合、上述した図１（ａ）〜（ｂ）に示す工程と同様に下部工５を製作した後、図６（ｉ）に示すようにドック１２内で支柱４，４...上端部に上部工６を支持させて桟橋構造体１を形成し、工期の短縮を図ることができる。
【００５５】
桟橋構造体１を形成した後は、図６（ｊ）に示すように、浮力体１６の浮力により支持治具１１に支持させた桟橋構造体１を水上に浮かべて移動させ、設置場所まで移動したら、下部ストッパー部材８を取り外した後、図６（ｋ）に示すように、支持治具本体１５上に設置されたウインチ１７より吊り下げ用ワイヤー１８を繰り出してワイヤー１８を介して支持治具１１に支持させつつ桟橋構造体１を支持治具１１に対して相対的に降下させ、図７（ｌ）に示すように、底版３が水底基礎２上に着底し据え付けられる位置まで降下させる。
【００５６】
そして、図７（ｍ）に示すように、浮力体１６内にコンクリート等の充填材を注入して内部に充填して支持治具１１を降下せしめ、支持治具１１を底版３上に重ねた配置に設置して底版３と一体化させ、桟橋構造体１の構築が完了する。
【００５７】
また、上述の実施例と同様に図１（ａ）〜図３（ｆ）の工程に沿って、下部工５を水底基礎２に据え付け、支持治具１１を足場として設置した後、図８（ｎ）〜図８（ｐ）に示すように、重力式護岸構造体２０を構築するようにしてもよい。
【００５８】
この場合、支持治具１１に上下に開口した作業用開口部２１を形成しておき、図８（ｎ）に示すように、この作業用開口部２１より石材を投下していき、底版３上に重力式護岸構造体２０の一部を担う捨石マウンド２２を形成するようになっている。
【００５９】
捨石マウンド２２が完成した後、図８（ｏ）に示すように、支持治具１１を足場として使用して上部工６を設置し、然る後、足場としての役割を終えた支持治具１１を上部工６と一体化させる。そして、図８（ｐ）に示すように、重力式護岸構造体２０を完成させ、作業が完了する。
【００６０】
また、上述の各実施例においては、支持治具本体１５と浮力体１６とを一体的に備えた支持治具１１を使用した例について説明したが、図９〜図１０に示す実施例のように、支持治具本体１５と浮力体１６とを一体的に備えた支持治具１１に代えて、１又は複数のフロート等の浮力体３０，３０を支持治具本体３１の外部に着脱可能に固定した支持治具３２を使用してもよい。尚、上述の実施例と同様の構成には同一符号を付して説明を省略する。
【００６１】
この支持治具３２を使用する方法にあっては、図９（ｑ）〜図９（ｒ）に示すように、ドック１２内に設置された底版成形用型枠１３の周囲に支持脚１４，１４...を立設し、その支持脚１４，１４...の上端に支持治具本体３１を離脱可能に固定することにより、支持脚１４，１４...に支持させて支持治具３２を底版成形用型枠１３より上方の所定の高さ位置に設置し、この支持治具３２（支持治具本体３１）に支持させて各支柱４，４...を底版成形用型枠１３上に立て込み、その状態で底版３を成形して下部工５を形成する。
【００６２】
そして、各支持脚１４，１４...と支持治具１１との固定状態を解除するとともに、図９（ｓ）に示すように、ドック１２内部に水を注入し、ドック１２内部の水位を外部水域の水位レベルに合わせることにより、支持治具本体３１の外周部に固定された浮力体３０，３０の浮力により支持治具本体３１に支持された下部工５が水上に浮かび、支持脚１４，１４...より離脱する。
【００６３】
そして、支持治具本体３１を介して浮力体３０，３０に支持させた状態で下部工５を曳航により所望の設置場所まで移動させ、図１０（ｔ）に示すように、吊り下ろし用ワイヤー１８を繰り出して下部工５を支持治具３２に対して相対的に降下させ、底版３を水底基礎２上に据え置く。
【００６４】
これに伴い、支持治具３２は、支柱４，４...に対して相対的に上昇し、水上に浮上し、上部ストッパー部材７に当接する。その状態で上部ストッパー部材７を介して又は直接に支持治具本体３１を各支柱４，４...に溶接等により剛的に固定し、然る後、浮力体３０，３０を支持治具本体３１より取り外して作業用足場を形成する。尚、取り外された浮力体３０，３０は、他の施工現場において再利用されるようになっている。
【００６５】
次に、支持治具本体３１に上下に開口した作業用開口部２１を形成しておき、図１０（ｕ）に示すように、この作業用開口部２１より石材を投下していき、底版３上に重力式護岸構造体２０の一部を担う捨石マウンド２２を形成する。
【００６６】
捨石マウンド２２が完成した後、図１０（ｖ）に示すように、支持治具本体３１を作業用足場に使用して上部工６を設置し、然る後、足場としての役割を終えた支持治具本体３１を上部工６と一体化させる。そして、重力式護岸構造体２０を完成させ、作業が完了する。
【００６７】
尚、上述の各実施例では、製作ヤードとしてドック１２（乾ドック）を使用した例について説明したが、製作ヤードはフローティングドックであってもよく、その際には、下部工を形成した後、フローティングドックを降下させて下部工を水上に浮かべるようにする。
【００６８】
また、陸上の製作ヤードにて下部工５を製作し、起重機船等のクレーンにて下部工を吊り上げ水上に浮かべるようにしてもよい。その際、クレーンより繰り出されたワイヤーの下端を支持治具１１（３２）に連結し、支持治具１１（３２）を吊り枠として使用するようにしてもよい。
【符号の説明】
【００６９】
１  桟橋構造体
２  水底基礎
３  底版
４  支柱
５  下部工
６  上部工
７  上部ストッパー部材
８  下部ストッパー部材
９  当て止め部
１０  補強部
１１  支持治具
１２  ドック
１３  底版成形用型枠
１４  支持脚
１５  支持治具本体
１６  浮力体
１７  ウインチ
１８  ワイヤー
２０  重力式護岸構造体
２１  作業用開口部
３０  浮力体
３１  支持治具本体
３２  支持治具
【図１】
0005910961.tif 000002
【図２】
0005910961.tif 000003
【図３】
0005910961.tif 000004
【図４】
0005910961.tif 000005
【図５】
0005910961.tif 000006
【図６】
0005910961.tif 000007
【図７】
0005910961.tif 000008
【図８】
0005910961.tif 000009
【図９】
0005910961.tif 000010
【図１０】
0005910961.tif 000011